(57)【要約】【課題】空きキャビティの数が増しても製造コストが増加することを抑制することが可能な防水コネクタを提供する。【解決手段】リアホルダ５０のうち空きキャビティ２１Ｖではない他のキャビティ２１に対応する部分には端子金具１０を前方に導入可能な端子導入口５３が設けられるとともに前記リアホルダ５０のうち前記空きキャビティ２１Ｖに対応する部分は閉止部５７により塞がれ、かつ、前記リアホルダ５０の前面には、前記防水ゴム栓４０の後面のうち少なくとも前記空きキャビティ２１Ｖと対応する貫通孔４１の周りを取り囲む部位を押圧する押圧シール部５９が設けられている。【選択図】図１
2015185318.tif 000002
【特許請求の範囲】
【請求項１】
電線の端末部に固着された端子金具が後方から挿入可能とされたキャビティが複数設けられ、そのうち一部のキャビティは前記端子金具が挿入されずに空きキャビティとされるハウジングと、
前記キャビティと対応する位置に前後方向に貫通する貫通孔を有して前記ハウジングのうち前記キャビティの後側の位置に装着され、前記貫通孔の周面が前記電線の外周面に液密状に密着可能とされた防水ゴム栓と、
前記ハウジングのうち前記防水ゴム栓の後側に取り付けられるリアホルダと、を備え、
前記リアホルダのうち前記空きキャビティではない他のキャビティに対応する部分には前記端子金具を前方に導入可能な端子導入口が設けられるとともに前記リアホルダのうち前記空きキャビティに対応する部分は閉止部により塞がれ、かつ、前記リアホルダの前面には、前記防水ゴム栓の後面のうち少なくとも前記空きキャビティと対応する前記貫通孔の周りを取り囲む部位を押圧する押圧シール部が設けられている防水コネクタ。
【請求項２】
回路基板に取り付けられるとともに前記ハウジングと嵌合可能とされた相手側ハウジングを有し、
前記相手側ハウジングには相手側端子金具が複数本備えられ、
前記相手側端子金具は、前記端子金具との接続部が上下方向に複数段に分けて設けられ、かつ、前記接続部とは反対側の部分がそれぞれ前記相手側ハウジングの後面から後方に延びて下向きに略直角に屈曲されて前記回路基板に接続されるものであり、
前記複数のキャビティは、前記相手側端子金具に対応して上下方向に複数段に分けて設けられ、そのうち最上段に位置するキャビティが前記空きキャビティとされており、
前記閉止部は、その最上段の前記空きキャビティに対応して設けられている請求項１に記載の防水コネクタ。
【請求項３】
前記押圧シール部に、少なくとも前記空きキャビティと対応する前記貫通孔の周りを取り囲み前記防水ゴム栓の後面に食い込むリブが備えられている請求項１または請求項２に記載の防水コネクタ。
【発明の詳細な説明】
【技術分野】
【０００１】
本発明は、防水コネクタに関する。
【背景技術】
【０００２】
従来、電線の端末部に固着された端子金具が後方から挿入可能とされたキャビティを複数有するハウジングを備え、そのキャビティの後側に防水ゴム栓を装着することでキャビティの後方を一括して塞いでシールする防水コネクタが知られている。防水ゴム栓には、各キャビティと対応する位置に前後方向に貫通する貫通孔が形成されており、各貫通孔の周面が各電線の外周面に液密状に密着することでキャビティの後方が密閉される。
【０００３】
この種の防水コネクタでは、複数のキャビティのうち一部のキャビティを、端子金具が挿入されない空きのキャビティとして残す場合には、電線で密閉されずに空いたままとなる防水ゴム栓の貫通孔を塞ぐべく、貫通孔にダミー栓を挿入することが知られている（例えば下記特許文献１に記載）。
【先行技術文献】
【特許文献】
【０００４】
【特許文献１】特開２００４−７１２００号公報
【発明の概要】
【発明が解決しようとする課題】
【０００５】
しかしながら、上記のような構成では、空きキャビティの数が多くなると、必要なダミー栓の数が増すため、製造コストの増加を招くという問題があった。
【０００６】
本発明は上記のような事情に基づいて完成されたものであって、空きキャビティの数が増しても製造コストが増加することを抑制することが可能な防水コネクタを提供することを目的とする。
【課題を解決するための手段】
【０００７】
本発明の防水コネクタは、電線の端末部に固着された端子金具が後方から挿入可能とされたキャビティが複数設けられ、そのうち一部のキャビティは前記端子金具が挿入されずに空きキャビティとされるハウジングと、前記キャビティと対応する位置に前後方向に貫通する貫通孔を有して前記ハウジングのうち前記キャビティの後側の位置に装着され、前記貫通孔の周面が前記電線の外周面に液密状に密着可能とされた防水ゴム栓と、前記ハウジングのうち前記防水ゴム栓の後側に取り付けられるリアホルダと、を備え、前記リアホルダのうち前記空きキャビティではない他のキャビティに対応する部分には前記端子金具を前方に導入可能な端子導入口が設けられるとともに前記リアホルダのうち前記空きキャビティに対応する部分は閉止部により塞がれ、かつ、前記リアホルダの前面には、前記防水ゴム栓の後面のうち少なくとも前記空きキャビティと対応する前記貫通孔の周りを取り囲む部位を押圧する押圧シール部が設けられているものである。
【発明の効果】
【０００８】
本発明によれば、防水ゴム栓のうち空きキャビティと対応する貫通孔は、リアホルダの閉止部によって後方を塞がれるとともに、リアホルダの押圧シール部によって周囲を密閉されるので、空きキャビティにダミー栓を入れる必要がなくなるから、空きキャビティの数が増しても製造コストが増加することを抑制することができる。
【図面の簡単な説明】
【０００９】
【図１】本実施例における雌ハウジングを示す断面図
【図２】雌ハウジングの背面図
【図３】防水ゴム栓の背面図
【図４】リアホルダの正面図
【図５】雄ハウジングを示す正面図
【図６】雄ハウジングを示す断面図であって、図５のＡ−Ａ位置における断面に相当する断面図
【発明を実施するための形態】
【００１０】
本発明の防水コネクタは、回路基板に取り付けられるとともに前記ハウジングと嵌合可能とされた相手側ハウジングを有し、前記相手側ハウジングには相手側端子金具が複数本備えられ、前記相手側端子金具は、前記端子金具との接続部が上下方向に複数段に分けて設けられ、かつ、前記接続部とは反対側の部分がそれぞれ前記相手側ハウジングの後面から後方に延びて下向きに略直角に屈曲されて前記回路基板に接続されるものであり、前記複数のキャビティは、前記相手側端子金具に対応して上下方向に複数段に分けて設けられ、そのうち最上段に位置するキャビティが前記空きキャビティとされており、前記閉止部は、その最上段の前記空きキャビティに対応して設けられているものとしてもよい。
このような構成によれば、相手側ハウジングに備えられた相手側端子金具のうち最上段に配置される端子金具、すなわち長さ寸法が最も大きい端子金具を省くことができるから、効率よく材料コストを低減することができる。
【００１１】
また、本発明の防水コネクタは、前記押圧シール部に、少なくとも前記空きキャビティと対応する前記貫通孔の周りを取り囲み前記防水ゴム栓の後面に食い込むリブが備えられているものとしてもよい。
このような構成によれば、防水ゴム栓の後面のうち少なくとも空きキャビティに対応する貫通孔の周りにリブが食い込んで密着するから、空いている貫通孔に液体が入り込むことをより確実に防ぐことができる。
【００１２】
＜実施例＞
以下、本発明を具体化した一実施例について、図１〜図６を参照しつつ詳細に説明する。
本実施例における防水コネクタは、電線Ｗの端末部に固着された雌型の端子金具（以下、雌端子金具１０と称する）が収容される雌ハウジング２０と、回路基板Ｐに接続される雄型の端子金具（以下、雄端子金具７０と称する）が保持された雄ハウジング８０とを備えている。以下、各構成部材において、各ハウジング２０，８０における嵌合面側をそれぞれ前方とし、また、図１および図５の上側をそれぞれ上方、下側を下方として説明する。
【００１３】
雌端子金具１０は、導電性の金属板をプレス加工することで形成され、前端側には雄端子金具７０が接続される箱形の接続部１１が形成され、後端側には電線Ｗの端末に固着されるバレル部１２が形成されている（図１参照）。接続部１１には、後述するキャビティ２１に形成されたランス２２が係止可能な突起１３が突設されている。
【００１４】
雌ハウジング２０は、合成樹脂材により全体としてブロック状に形成されており、その内部には前後方向に延びる複数のキャビティ２１が幅方向および上下方向に並んで形成されている。具体的には、本実施例では、キャビティ２１は全部で３３室が設けられ、雌ハウジング２０の幅方向には１１室が一列に並べられるとともに、上下方向には３段にわけて設けられている。そして、すべてのキャビティ２１のうち最上段に配置された１１室のキャビティ２１は、雌端子金具１０が挿入されずに空いたままで残される空きキャビティ２１Ｖとされる。
【００１５】
各キャビティ２１には後方から雌端子金具１０が挿入可能とされている。各キャビティ２１内の正規の位置に挿入された雌端子金具１０は、キャビティ２１内に設けられたランス２２に係止されて抜け止め状態で収容される。また、キャビティ２１の前壁には、雄端子金具７０が挿入されるための開口部２３が形成されている。
【００１６】
雌ハウジング２０の前面には、雄ハウジング８０との嵌合時に、雄ハウジング８０の嵌合面８８に突設された柱状凸部８４（図５および図６参照）の周囲を密閉してシールする嵌合面シール部材２５が装着されている。嵌合面シール部材２５は、雌ハウジング２０の前面の略全体を覆う形状をなすとともに、各キャビティ２１と対応する位置に、前方から柱状凸部８４が嵌合可能な嵌合穴部２６が貫通形成されている。嵌合穴部２６の周面には嵌合リップ部２７が設けられ、嵌合された柱状凸部８４の外周面に密着してその周囲をシールする。
【００１７】
嵌合面シール部材２５の前側には、フロントホルダ２８が取り付けられている。フロントホルダ２８は、嵌合面シール部材２５の前側の略全体を覆う覆い部２９を有している。覆い部２９には、嵌合穴部２６に対応する位置に、雄端子金具７０および柱状凸部８４が挿入される挿入穴部３１が貫通形成されている。フロントホルダ２８は、覆い部２９から後方へ向かって延出する複数の係止片３２を有し、この係止片３２が雌ハウジング２０の外周面に突設された複数の係止突起３３にそれぞれ係止することで、雌ハウジング２０に組み付け状態に保持される。
【００１８】
雌ハウジング２０のうちキャビティ２１の後側には、防水ゴム栓４０およびリアホルダ５０が収容される収容凹部３４が設けられている。収容凹部３４は全キャビティ２１の入口に連通する大きさをなして後方に開口して設けられている。
【００１９】
防水ゴム栓４０は、雌ハウジング２０の収容凹部３４に緊密に嵌合可能な厚肉の板状に形成されている。防水ゴム栓４０には、各キャビティ２１と対応する位置毎に前後方向に貫通する貫通孔４１が形成されている。貫通孔４１は略円形をなし、すべての貫通孔４１において同形状とされている。各貫通孔４１の周面には３条の内周側リップ４２が周設されている。内周側リップ４２が電線Ｗの外周面に弾性的に当接することにより、貫通孔４１の周面は電線Ｗの外周面に液密状に密着して各貫通孔４１が塞がれる。
【００２０】
防水ゴム栓４０の外周面には、収容凹部３４の内周壁に弾性的に当接可能な３条の外周側リップ４３が周設されている。防水ゴム栓４０が収容凹部３４に収容された状態では、防水ゴム栓４０の外周側リップ４３が収容凹部３４の内周壁に弾性的に当接することにより、防水ゴム栓４０と収容凹部３４との間が液密状態にシールされる。なお、防水ゴム栓４０の前面および後面は、貫通孔４１をのぞく略全体が凹凸のない平らな面とされている（図３参照）。
【００２１】
リアホルダ５０は、雌ハウジング２０の収容凹部３４内において防水ゴム栓４０の後側に収容され、防水ゴム栓４０を前方に押すとともに防水ゴム栓４０が収容凹部３４から離脱することを防ぐものである。リアホルダ５０は合成樹脂製であって、防水ゴム栓４０と同等の厚さ寸法（前後方向の寸法）を有している。リアホルダ５０の外周面には、雌ハウジング２０に設けられた被係止部３５に係止する係止部５１が複数設けられている。被係止部３５は、雌ハウジング２０の収容凹部３４に設けられた開口部２３であり、係止部５１は、リアホルダ５０の外周面に突設された突起である。リアホルダ５０が収容凹部３４に内嵌されると、係止部５１が被係止部３５に嵌合してリアホルダ５０の離脱が防止される。係止部５１と被係止部３５との係止面５２は、内側から外側に向かってわずかに後方に傾く傾斜をなしている。係止部５１および被係止部３５は、雌ハウジング２０の上面側と下面側とに一対ずつ設けられている（図２参照）。
【００２２】
リアホルダ５０のうち空きキャビティ２１Ｖではない他のキャビティ２１に対応する部分には、雌端子金具１０を前方に導入可能な端子導入口５３が設けられている（図２参照）。端子導入口５３は、雌ハウジング２０の下側２段のキャビティ２１に対応して、リアホルダ５０の下側部分に２段にわけて設けられている。端子導入口５３は、雌ハウジング２０の各段のキャビティ２１と略同一の高さとなる位置に配置され、各段にはキャビティ２１と同数が略同一ピッチで並べられている。
【００２３】
各端子導入口５３は、キャビティ２１の後端開口とほぼ同じ大きさの方形状をなして、リアホルダ５０を前後方向に貫通している。各端子導入口５３の下面には、雌端子金具１０に設けられた突起１３を前方に通過させる第１凹溝５４が前後にわたり形成され、各端子導入口５３の上面には、第１凹溝５４よりも浅い第２凹溝５５が前後にわたり形成されている。また、各端子導入口５３の後端部には、雌端子金具１０の前端をスムーズに誘い込むべくテーパ部５６が形成されている。
【００２４】
そして、リアホルダ５０のうち空きキャビティ２１Ｖに対応する部分は閉止部５７によって塞がれている。閉止部５７は、すべてのキャビティ２１のうち最上段に並べられた空きキャビティ２１Ｖのすべてに対応して設けられている。
【００２５】
閉止部５７は、空きキャビティ２１Ｖに対応する部分に形成された孔部５８の後端を塞ぐ壁状をなしている（図１参照）。孔部５８は、前方から見ると、端子導入口５３のうち第１凹溝５４および第２凹溝５５を削除した部分と略同形の方形状をなしている（図２および図４参照）。
【００２６】
閉止部５７は端子導入口５３のテーパ部５６に対応する部位に形成され、閉止部５７の厚さ寸法（前後方向の寸法）は、図１に示すように、テーパ部５６の前後方向の寸法と同等とされている。閉止部５７の後面とリアホルダ５０の後面の他の部分とは段差のない平坦な面を構成している。上下左右に並べて配置された孔部５８と端子導入口５３とを有することにより、リアホルダ５０は全体として格子構造をなしている。
【００２７】
端子導入口５３と閉止部５７とは、金型を入れ子構造にすることで選択的に形成することができる。すなわち、機種ごとに空きキャビティ２１Ｖの位置および数が異なることに対して、入れ子のセットの仕方を変更することで容易に対応できるようになっている（図４参照）。
【００２８】
リアホルダ５０の前面には、防水ゴム栓４０の後面のうち各貫通孔４１の周りを取り囲む部位を押圧する押圧シール部５９が設けられている。押圧シール部５９は、端子導入口５３および孔部５８の周壁を構成して格子状をなす部分の前端面である（図４参照）。
【００２９】
押圧シール部５９には、各貫通孔４１の周りを取り囲む形状をなして防水ゴム栓４０の後面に食い込むリブ６１が備えられている。リブ６１は、押圧シール部５９からわずかに突出している。リブ６１は、端子導入口５３および孔部５８の周りを個別に取り囲む枠状部６２がすべて切れ目なく連続して連なった形態とされ、全体として格子状をなしている（図４参照）。孔部５８とリブ６１との間には、第１凹溝５４および第２凹溝５５を形成可能な間隔が空けられている。
【００３０】
次に、雌ハウジング２０の組み付け手順の一例を説明する。
まず、雌ハウジング２０の収容凹部３４の前側部分に防水ゴム栓４０を嵌着し、続いて、収容凹部３４の後側部分にリアホルダ５０を嵌めこむ。このとき、リアホルダ５０のリブ６１の全体が防水ゴム栓４０の後面に食い込むとともに、リアホルダ５０の押圧シール部５９の全体が防水ゴム栓４０の後面に押し付けられた状態になる。そして、リアホルダ５０の係止部５１が雌ハウジング２０の被係止部３５に嵌合して係止し、リアホルダ５０が雌ハウジング２０に固定される。これにより、防水ゴム栓４０のすべての貫通孔４１がリブ６１および押圧シール部５９によって個別に取り囲まれて密閉された状態に保持される。
【００３１】
次いで、電線Ｗの端末部に固着された雌端子金具１０を、リアホルダ５０の端子導入口５３から前方に挿入する。雌端子金具１０は、防水ゴム栓４０の貫通孔４１に挿入され、貫通孔４１を押し広げてその前方に抜け出し、雌ハウジング２０のキャビティ２１に収容される。すると、雌端子金具１０はランス２２により係止されて抜け止めされる。また、雌端子金具１０が挿入されたキャビティ２１と対応する貫通孔４１は、それぞれ電線Ｗによって液密状に塞がれる。さらに、貫通孔４１内に電線Ｗが配されることで防水ゴム栓４０が外側および前後両側に押され、リブ６１の食い込みおよび押圧シール部５９の押圧がより強固なものになる。
【００３２】
雄ハウジング（相手側ハウジング）８０は合成樹脂製であって、図５および図６に示すように、複数本のタブ状をなす雄端子金具（相手側端子金具）７０を保持する端子保持部８１と、端子保持部８１の前方に設けられて雌ハウジング２０が嵌合可能とされた角筒状をなすフード部８２とを備えている。
【００３３】
端子保持部８１には、前後方向に貫通する端子取付孔８３が複数形成されている（図６参照）。複数の端子取付孔８３は、雌ハウジング２０のキャビティ２１のうち下側２段に配置されたキャビティ２１と対応して、端子保持部８１の下側部分に形成されている。端子取付孔８３は、雄ハウジング８０の幅方向に一定のピッチで配置され、また、上下方向に２段に分かれて配置されている。
【００３４】
各端子取付孔８３は、端子保持部８１の前面（以下、嵌合面８８と称する）に個別に突設された柱状凸部８４の中心（軸心）を貫通している。各端子取付孔８３の後端部には、雄端子金具７０の先端を案内する案内部８５が拡開して設けられている。雄端子金具７０は、各端子取付孔８３に後方から圧入されて保持される。
【００３５】
雄端子金具７０は、図６に示すように、雌端子金具１０との接続部７１が端子保持部８１の嵌合面８８から前方（フード部８２の内側）に突出するとともに、回路基板Ｐとの接続部７２が端子保持部８１の後面から後方に突出した状態で各端子取付孔８３に保持される。雄端子金具７０のうち雌端子金具１０との接続部７１は、嵌合面８８の下側部分において幅方向に複数並べられるとともに上下方向に２段に分けて配置されている。雄端子金具７０のうち端子保持部８１の後面から後方に突出する部分は、それぞれ下向きに略直角に屈曲されて回路基板Ｐに接続されている。なお、以下では、雄端子金具７０のうち雌端子金具１０との接続部７１を含んで前後方向に延びる部分を水平部７３と称し、回路基板Ｐに向けて垂下する部分を垂下部７４と称する。
【００３６】
雄端子金具７０のうち最下段に配置されるもの（以下、第１雄端子金具７０Ｆと称する）の長さ寸法は、その一段上に配置されるもの（以下、第２雄端子金具７０Ｓと称する）の長さ寸法よりも小さくされている。すなわち、第１雄端子金具７０Ｆと第２雄端子金具７０Ｓとで回路基板Ｐにおける接続位置が前後に一段ずれるように、第１雄端子金具７０Ｆの水平部７３の長さ寸法が第２雄端子金具７０Ｓの水平部７３の長さ寸法よりも小さくされている。また、第１雄端子金具７０Ｆと第２雄端子金具７０Ｓとで、雌端子金具１０との接続部７１が上下に一段ずれて配されるように、第１雄端子金具７０Ｆの垂下部７４の長さ寸法が第２雄端子金具７０Ｓの垂下部７４の長さ寸法よりも小さくされている。
【００３７】
端子保持部８１のうち雌ハウジング２０の空きキャビティ２１Ｖに対応する最上段の位置には、後端部が塞ぎ部８６によって塞がれた形態の細長い細孔部８７が設けられている（図６参照）。細孔部８７は、端子取付孔８３のうち案内部８５を除く部分と略同形状とされている。
【００３８】
塞ぎ部８６は、案内部８５に対応する部分に形成されており、案内部８５と前後方向の寸法が同等とされている。なお、塞ぎ部８６と端子取付孔８３とは、金型を入れ子構造にすることで選択的に形成することができる。すなわち、機種ごとに空きキャビティ２１Ｖの位置および数が異なることに対して、入れ子のセットの仕方を変更することで容易に対応できるようになっている。
【００３９】
次に、上記のように構成された実施例の作用および効果について説明する。
本実施例の防水コネクタは、電線Ｗの端末部に固着された雌端子金具１０が後方から挿入可能とされたキャビティ２１が複数設けられた雌ハウジング２０を有し、そのうち一部のキャビティ２１は雌端子金具１０が挿入されずに空きキャビティ２１Ｖとされるものである。この雌ハウジング２０のうちキャビティ２１の後側の位置には、キャビティ２１と対応する位置に前後方向に貫通する貫通孔４１を有して、その貫通孔４１の周面が電線Ｗの外周面に液密状に密着可能とされた防水ゴム栓４０が装着され、防水ゴム栓４０の後側にはリアホルダ５０が取り付けられている。そして、リアホルダ５０のうち空きキャビティ２１Ｖではない他のキャビティ２１に対応する部分には雌端子金具１０を前方に導入可能な端子導入口５３が設けられるとともにリアホルダ５０のうち空きキャビティ２１Ｖに対応する部分は閉止部５７により塞がれ、かつ、リアホルダ５０の前面には、防水ゴム栓４０の後面のうち各貫通孔４１の周りを取り囲む部位を押圧する押圧シール部５９が設けられている。
【００４０】
この構成によれば、防水ゴム栓４０のうち空きキャビティ２１Ｖと対応する貫通孔４１は、リアホルダ５０の閉止部５７によって後方を塞がれるとともに、リアホルダ５０の押圧シール部５９によって周囲を密閉されるので、空きキャビティ２１Ｖにダミー栓を入れる必要がなくなるから、空きキャビティ２１Ｖの数が増しても製造コストが増加することを抑制することができる。また、最上段のキャビティ２１に加えてその他のキャビティ２１の一部も空きキャビティ２１Ｖにしたい場合には、それに合わせて金型の入れ子を変更することで閉止部５７を形成してもよいし、またその他のキャビティ２１の分だけダミー栓を用意してもよい。これにより、すべての空きキャビティ２１Ｖにダミー栓を必要とする場合に比してコストの増加を抑制することができる。
【００４１】
また、防水コネクタは、回路基板Ｐに取り付けられるとともに雌ハウジング２０と嵌合可能とされた雄ハウジング８０を有し、雄ハウジング８０にはタブ状の雄端子金具７０が複数本備えられ、雄端子金具７０は、雌端子金具１０との接続部７１が嵌合面８８において上下方向に２段に分けて設けられ、かつ、雌端子金具１０との接続部７１とは反対側の部分がそれぞれ端子保持部８１の後面から後方に延びて下向きに略直角に屈曲されて回路基板Ｐに接続されるものであり、雌ハウジング２０に設けられた複数のキャビティ２１は、雄端子金具７０に対応して上下方向に複数段に分けて設けられ、複数のキャビティ２１のうち最上段に位置するキャビティ２１が空きキャビティ２１Ｖとされ、閉止部５７は、その最上段の空きキャビティ２１Ｖに対応して設けられている。
【００４２】
この構成によれば、仮に雄ハウジングに備えるとした場合に最も長い寸法を要することになる雄端子金具、すなわち雄ハウジングの最上段に位置して最も長い水平部と最も長い垂下部とを備える必要がある雄端子金具を省くことができるから、効率よく材料コストを低減することができる。
【００４３】
また、押圧シール部５９には、各貫通孔４１の周りを取り囲んで防水ゴム栓４０の後面に食い込むリブ６１が備えられている。この構成によれば、防水ゴム栓４０の後面のうち各貫通孔４１の周りにリブ６１が食い込んで密着するから、空いている貫通孔４１に液体が入り込むことをより確実に防ぐことができる。
【００４４】
＜他の実施例＞
本発明は上記記述及び図面によって説明した実施例に限定されるものではなく、例えば次のような実施例も本発明の技術的範囲に含まれる。
（１）上記実施例では、本発明を、キャビティ２１が幅方向に１１室、上下方向に３段にわけて設けられた雌ハウジング２０に適用した場合について説明したが、これに限らず、本発明は、例えばキャビティが１段のみ、２段のみまたは４段以上にわけて配置されたハウジングにも適用することができ、また、各段におけるキャビティの配置数がいかなる数であっても適用することができる。
（２）上記実施例では、リアホルダ５０は収容凹部３４に内嵌されるものとしているが、これに限らず、例えばリアホルダはキャップ状をなしてハウジングの後端部に被せられて装着されるものであってもよい。
（３）上記実施例では、閉止部５７は、空きキャビティ２１Ｖに対応する部分に形成された孔部５８の後端を塞ぐ壁状をなしているが、これに限らず、例えば、孔部の前端または途中部分を塞ぐ壁状をなすものとしてもよく、もしくは孔部の全体を埋めるものとしてもよい。
（４）上記実施例では、複数のキャビティ２１のうち最上段に並べられたすべてのキャビティ２１が空きキャビティ２１Ｖとされ、閉止部５７はそれに対応して設けられているが、これに限らず、閉止部は、他の段のキャビティを空きキャビティとしてそれに対応して設けてもよく、また最上段のキャビティのうち一部のキャビティのみを空きキャビティとしてそれに対応して設けてもよい。
（５）上記実施例では、空きキャビティ２１Ｖのすべてに対応して閉止部５７が設けられているが、これに限らず、空きキャビティの一部に対応して閉止部を設け、他の空きキャビティに対応する貫通孔にはダミー栓を挿入するものとしてもよい。
（６）上記実施例では、押圧シール部５９は、防水ゴム栓４０の後面のうちすべての貫通孔４１の周りを取り囲む部位を押圧するものとしているが、これに限らず、押圧シール部は、例えば空きキャビティと対応する貫通孔の周りのみを個別にまたは一括して取り囲む部位だけを押圧するものとしてもよい。
（７）上記実施例では、押圧シール部５９に設けられたリブ６１はすべての貫通孔４１の周りを取り囲む形状をなすものとされているが、これに限らず、例えばリブは、空きキャビティと対応する貫通孔の周りのみを個別にまたは一括して取り囲む形状をなすものとしてもよい。
（８）上記実施例では、雄ハウジング８０は回路基板Ｐに取り付けられるものとされているが、これに限らず、例えば雄ハウジングは、電線の端末部に固着された雄型の端子金具が挿入されて収容されるものであってもよい。
（９）上記実施例では、第１雄端子金具７０Ｆと第２雄端子金具７０Ｓとで回路基板Ｐにおける接続位置が前後に一段ずれるように水平部７３の長さ寸法が異なるものとされているが、これに限らず、第１雄端子金具と第２雄端子金具とで回路基板における接続位置が前後にずれることなく一列に並べて配置されるものであってもよく、その場合においても、垂下部の長さ寸法は、上段に配される雄側端子金具ほど大きくする必要があるから、最上段に配置される雄端子金具を省くことは有利である。
【符号の説明】
【００４５】
Ｐ…回路基板
Ｗ…電線
１０…雌端子金具（端子金具）
２０…雌ハウジング（ハウジング）
２１…キャビティ
２１Ｖ…空きキャビティ
４０…防水ゴム栓
４１…貫通孔
５０…リアホルダ
５３…端子導入口
５７…閉止部
５９…押圧シール部
６１…リブ
７０…雄端子金具（相手側端子金具）
７１…雌端子金具との接続部（端子金具との接続部）
８０…雄ハウジング（相手側ハウジング）
８８…嵌合面（相手側ハウジングの前面）
【図１】
2015185318.tif 000003
【図２】
2015185318.tif 000004
【図３】
2015185318.tif 000005
【図４】
2015185318.tif 000006
【図５】
2015185318.tif 000007
【図６】
2015185318.tif 000008